Podtech/llm-jp-corpus-v4-ja_patent huggingface dataset:
【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】
検知ゾーン(３０)内の共振タグ(３８)の存在を検出するための無線周波識別（ＲＦＩＤ）システム(１６)であって、
デジタル送信信号を発生する信号発生器(６８)と、
送信アンテナ駆動信号により駆動された時、前記駆動ゾーン(３０)内へ電磁信号を出力する送信アンテナ(３４)とを備え、
スイッチ制御される増幅器(９８)は、信号発生器(６８)に接続され、更に、送信アンテナ(３４)に結合され、前記送信アンテナ駆動信号を生成するために、前記デジタル送信信号はスイッチ制御される増幅器(９８)を通過することを特徴とする無線周波識別（ＲＦＩＤ）システム。
【請求項２】
前記デジタル送信信号は、互いに同期していない一対のデジタル信号を備え、
前記スイッチ制御される増幅器(９８)は、一対のデジタル信号のそれぞれを受信するそれぞれのスイッチ(Ｕ１Ａ／Ｕ２Ａ)と、それぞれのスイッチ(Ｕ前記それぞれのスイッチ(Ｕ１Ａ／Ｕ２Ａ)は、一対のデジタル信号のそれぞれのロジックレベルにより制御される請求項１記載のＲＦＩＤシステム。
【請求項３】
それぞれのスイッチ(Ｕ１Ａ／Ｕ２Ａ)は、ソリッドステートのスイッチである請求項２記載のＲＦＩＤシステム。
【請求項４】
それぞれの駆動回路(８６)は、Ｅ級増幅器を備える請求項２または３に記載のＲＦＩＤシステム。
【請求項５】
それぞれの駆動回路(８６)は、Ｃ級増幅器を備える請求項２または３に記載のＲＦＩＤシステム。
【請求項６】
それぞれの駆動回路(８６)は、Ｄ級増幅器を備える請求項２または３に記載のＲＦＩＤシステム。
【請求項７】
無線周波識別システム(１６)は更に、受信機(２４)に結合された受信アンテナ(３６)と、受信機(２４)に結合されたタグ応答信号解析手段(２０)とを備え、
前記タグ応答信号解析手段(２０)は、共振タグ(２８)から受信アンテナ(３６)により受信され、かつ、受信機(２４)を通過した信号を解析する請求項１〜６のいずれかに記載のＲＦＩＤシステム。
【請求項８】
前記受信機(２４)およびタグ応答信号解析手段(２０)は光インターフェース(２３)を通じて互いに結合される請求項７記載のＲＦＩＤシステム。
【請求項９】
前記光インターフェース(２３)は、光送信機(４０)、光受信機(４３)および一端が光送信機(４０)の出力部に接続され、他端が光受信機(４２)の入力部に接続された光ファイバ(４４)を備える請求項８記載のＲＦＩＤシステム。
【請求項１０】
タグ応答信号は振幅変調される請求項７〜９のいずれかに記載のＲＦＩＤシステム。
【請求項１１】
前記共振タグ(２８)は、受動の共振タグである請求項１〜１０のいずれかに記載のＲＦＩＤシステム。
【請求項１２】
前記共振タグ(２８)は、無線周波識別（ＲＦＩＤ）タグである請求項１〜１１のいずれかに記載のＲＦＩＤシステム。
【請求項１３】
検知ゾーン(３０)内の共振タグ(３８)の存在を検出するための無線周波識別（ＲＦＩＤ）システム(１６)であって、物品に、共振インテリジェントタグ(２８)が取り付けられ、前記無線周波識別システムは、
（ａ) 検知ゾーン(３０)内でインテリジェントタグ(２８)の検出により、復調されたアナログのタグ応答信号を出力する受信回路(２４)と、
（ｂ) (1)入力部、(2)タグの応答をデジタルデータに変換するコンバータ(６５)および(3)デジタル化されたタグ応答信号を処理し、そしてそこからインテリジェントタグデータを出力するデジタル信号処理回路(３８)を含むタグ応答信号解析モジュール(２０)、および
（ｃ) アナログタグ応答を受信回路(２４)からタグ応答信号解析モジュール(２０)に伝えるために、一端が受信回路(２４)の出力部に接続され、他端がタグ応答解析モジュール(２)の入力部に接続された光インターフェースとを含む無線周波識別（ＲＦＩＤ）システム。
【請求項１４】
光インターフェース(２２)が、
(1)光送信機(４０)、(2)光受信機(４２)および、(3)一端が光送信機(４０)の出力部に接続され、他端が光受信機(４３)の入力部に接続された光ファイバ(４４)を含む請求項１３記載のＲＦＩＤシステム。
【請求項１５】
共振インテリジェントタグ(２８)は、無線周波インテリジェント(ＲＦＩＤ)タグである請求項１３または１４に記載のＲＦＩＤシステム。
【請求項１６】
タグ応答信号は振幅変調される請求項１３〜１５のいずれかに記載のＲＦＩＤシステム。
【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  産業用プロセス制御システム用のディジタル化された情報を通信する時分割通信アーキテクチャであって、
前記時分割通信アーキテクチャが、種々のプログラムされたオペレーティングユニット（１１、１０、８、４'）間の決定性トラフィックを伝達する少なくとも１つの産業用ローカルエリアネットワーク（６）の周りに組織され、
前記オペレーティングユニットが、情報の処理および格納を行い、
前記情報が、前記時分割通信アーキテクチャを介して、少なくとも１つの他のプログラムされたオペレーティングユニット（１１、１０）により、アクセスされることが可能であり、
前記時分割通信アーキテクチャが、種々のプログラムされたオペレーティングユニット（１０、８、４'）、特に、中間レベル（８）、プロセスインターフェイスレベル、あるいはサイトデバイス監視／制御レベル（４’）に位置するオペレーティングユニットを含み、
前記オペレーティングユニットが、個々に、プロセスのリアルタイム制御に関連した優先順位の交換を中断することなく、システムの産業用ローカルエリアネットワーク（６、６’）の決定性トラフィックによりアベイラブルになっているタイムスロットで構成された伝送可能性を利用するメッセージトラフィックの状態で、ＨＴＴＰ／ＴＣＰ／ＩＰプロトコルスタックを装備し利用者として動作する、システムの他のオペレーティングユニット（１１）またはコンピュータ、特にシステムの外部のコンピュータから受領した要求に応答する、対話型コンピュータドキュメントを任意に送信できるＨＴＴＰタイプのサーバ（９）を含むことを特徴とするアーキテクチャ。
【請求項２】  プログラムされたサイトユニット（１８、１８’、１８”、１８”’、１８””）が、少なくとも１つの産業用ローカルエリアネットワーク（１９）の周りに、１つまたは複数のクラスタとして組織され、
前記産業用ローカルエリアネットワーク（１９）が、１つのクラスタ専用であり、クラスタのサイトユニットを少なくとも１つのプログラムされた共用ユニット（１７）に接続する、サイトバス型であり、
前記共用ユニット（１７）が、任意選択で、前記時分割通信アーキテクチャの上位レベルの少なくとも１つのプログラムされた他のオペレーティングユニット（１４、１５）、特に監視ユニットおよび／または外部通信ネットワーク（０）に対してゲートウェイとしてサービス提供するオペレーティングユニットなどのためにサービス提供する他の産業用ローカルエリアネットワーク（２０）へのゲートウェイまたはルータとしてサービス提供し、
その結果、このようなサービス提供機能を装備したクラスタのサイトユニットのＨＴＴＰサーバが、
要求が、ＨＴＴＰ／ＴＣＰ／ＩＰプロトコルスタックを装備し利用者として動作する、他のオペレーティングユニットまたはコンピュータ、特にシステムの外部のコンピュータにより、ネットワークの少なくとも１つを介して、前記ＨＴＴＰサーバにアドレス指定されており、かつ、
要求が、前記ＨＴＴＰサーバを含むサイトユニットで格納されたパラメータおよび／または変数の挿入または抽出に関するものの場合、
任意の対話型のコンピュータドキュメントで応答することができる請求項１に記載のアーキテクチャ。
【請求項３】  産業用プロセス制御システム用の情報を通信する方法であって、
産業用プロセスを制御するのに必要なディジタル化された情報が、リアルタイムで、および、センサまたはアクチュエータなどの少なくとも１つのサイトデバイスと、少なくとも１つの中間レベルでプログラムされたオペレーティングユニットまたは少なくとも１つの上位レベルでプログラムされたオペレーティングユニットとの間で、決定性モードで、少なくとも１つのサイトネットワークを通ってシステム内部で、交換され、
システム外部のユーザが、前記プログラムされたオペレーティングユニットの１つに接続されたインターネットまたはイントラネットタイプのネットワークを介して、前記サイトデバイスまたは前記プログラムされたオペレーティングユニットに格納された情報に、アクセスできるようにするために、
交換が、決定性の交換モードによりサイトネットワークを通って提供されるアベイラブルなタイムスロットに対して、サイトデバイスまたはオペレーティングユニットであることができる前記情報が格納されているデバイスと、イントラネットまたはインターネットネットワークが接続している中間レベルまたは上位レベルのオペレーティングユニットとの間で、ＨＴＴＰ／ＴＣＰ／ＩＰプロトコルを使って行われるという事実によって特徴付けられている方法。
【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  蓄積メディアに蓄積された情報を処理するシステムを制御する方法であって、
（Ａ）ユーザの入力に応答して、前記システムに関連付けられた格付け限度の選択をユーザに可能にするシステム設定メニューを生成するステップと、
（Ｂ）前記蓄積メディアに蓄積されたプログラムが再生中である再生動作モードのユーザの選択に応答して、再生中の前記選択されたプログラムの一部が前記システムに関連付けられた第１の格付け限度と異なる格付けを有するプログラム情報を含んでいるかどうかを判定するステップと、
（Ｃ）前記再生動作モードの選択に応答し、前記プログラムの前記一部に含まれている情報の前記格付けが前記第１の格付け限度と異なるという判定に応答して、前記システム設定メニューを使用することなく、前記第１の格付け限度をオーバーライドすべきかどうかを選択する機会をユーザに与えるステップと、
（Ｄ）前記第１の格付け限度をオーバーライドするユーザの選択に応答して、前記第１の格付け限度を第２の格付け限度に変えて、前記プログラムの前記一部の再生を可能にするステップと、
を含む、前記方法。
【請求項２】  再生動作モードの期間にユーザの格付け限度変更がイネーブルされたかどうかを判定するステップが、前記ステップ（Ｂ）に先行する、請求項１に記載の方法。
【請求項３】  蓄積メディアに蓄積された情報を処理する装置であって、
前記装置の再生動作モードの期間に、前記蓄積メディアに蓄積された情報にアクセスする手段と、
前記再生動作モードを起動し、前記再生動作モードのユーザの選択に応答して、前記蓄積メディアからのアクセスされた情報を処理して、再生中の前記プログラムの一部が前記装置に関連付けられた第１の格付け限度と異なる格付けを有するプログラム情報を含んでいるかどうかを判定し、前記プログラムのユーザの選択に応答して、前記システム設定メニューを使用することなく、前記プログラムの前記一部の格付けが前記第１の格付け限度と異なるという判定に応答して前記第１の格付け限度をオーバーライドすべきかどうかを選択する機会をユーザに与え、ユーザが前記格付け限度をオーバーライドすることを選択した場合に、前記プログラムの前記一部の再生が完了したときに前記装置の格付け限度を前記第１の格付け限度に戻す手段と、
を具える、前記装置。
【手続補正書】
【提出日】平成18年6月20日(2006.6.20)
【手続補正１】
【補正対象書類名】明細書
【補正対象項目名】特許請求の範囲
【補正方法】変更
【補正の内容】
【特許請求の範囲】
【請求項１】  第一のフレームレートを設定するステップと、キャプチャ積分期間を第一の積分期間に設定するステップと、第一の周波数を持つ照明源のもとで一セットのフレームをキャプチャするステップと、前記照明の前記第一の周波数を決定するステップとを含んでなり、前記決定するステップが、各値が、前記決定のために画像データの特定の列を選ぶ効果を軽減するために、前記セットのフレーム中の一つのフレーム内の画像データの個々の行の平均を有する、時系列の行平均データ値を前記セットのフレームの各々に対して生成するサブステップと、前記時系列の行平均データ値に対して時間領域から周波数領域への変換を遂行するサブステップと、前記変換の結果生じるスペクトルから前記第一の周波数を検出するサブステップとによって実行される方法。
【請求項２】  イメージ・センサと、第一のフレームレートを設定し、キャプチャ積分期間を第一の積分期間に設定し、前記イメージ・センサを用いて、第一の周波数を持つ照明源のもとで一セットのフレームをキャプチャし、そして、前記照明の前記第一の周波数を決定するための、前記イメージ・センサに結合されたキャプチャ制御ユニットとを備えてなり、前記決定が、各値が、前記決定のために画像データの特定の列を選ぶ効果を軽減するために、前記セットのフレーム中の一つのフレーム内の画像データの一つの行の平均を持つ、一セットの行平均データ値を前記セットのフレームの各々に対して逐次的に生成し、前記セットの行平均データに対して時間領域から周波数領域への変換を遂行し、そして、前記変換の結果生じるスペクトルから前記第一の周波数を検出することによって実行される装置。
【請求項３】  イメージ・センサと、前記イメージ・センサに結合されたアナログ・デジタル・プロセッサと、シーン照明の周波数を決定するために前記アナログ・デジタル・プロセッサに結合されたフリッカ検出器であって、前記決定が、各値が、前記イメージ・センサを用いて前記アナログ・デジタル・プロセッサによって供給される複数のフレーム中の1つのフレーム内の個々の行の平均である、前記決定のために画像データの特定の列を選ぶ効果を軽減するように選択された、一セットの行平均データ値に対して周波数変換を遂行してスペクトルを生成し、そして、前記スペクトルを分析して支配的なスペクトル成分を検出することによって実行されるフリッカ検出器と、前記シーン照明のタイプの知らせを受け取り、また、それに応答して、画像が行単位基準でキャプチャされるパイプライン・モードで前記イメージ・センサを操作するために、前記フリッカ検出器および前記イメージ・センサに結合されたキャプチャ制御ユニットと、を備えてなる装置。
【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  ブロックベースのビデオ・プロセッサであって、
空間ドメインでサンプリングされたビデオ信号のソースと
前記サンプリングされたビデオ信号に応答して、ＮとＭを１７より少ない整数とした場合に、前記サンプリングされたビデオ信号を表す、複数のピクセル値からなるＮ×Ｍのブロックを形成するブロック化する回路と、
ピクセルのブロックに応答して、それぞれのブロックに対してより少ない数のピクセル値を提供するサブサンプリング回路と
を備え、
前記より少ない数の前記ピクセル値のそれぞれは、それぞれに関連する入力ブロックからのみ導き出されることを特徴とするビデオ・プロセッサ。
【請求項２】  請求項１に記載のビデオ・プロセッサにおいて、さらに、前記ブロック化する回路と前記サブサンプリング回路の間に置かれた、サブサンプルされたピクセル・ブロックをストアしておくためのメモリを備えることを特徴とするビデオ・プロセッサ。
【請求項３】  請求項１に記載のビデオ・プロセッサにおいて、さらに、前記ブロック化する回路に結合されたフレーム・メモリを備え、前記ブロック化する回路はＭＰＥＧに準拠し、前記ピクセルのブロックはマクロブロックであることを特徴とするビデオ・プロセッサ。
【請求項４】  請求項１に記載のビデオ・プロセッサにおいて、前記サブサンプリング回路は、マクロブロック・メモリ、エイリアス低減フィルタおよびピクセル・サブサンプラーを備えることを特徴とするビデオ・プロセッサ。
【請求項５】  請求項４に記載のビデオ・プロセッサにおいて、前記エイリアス低減フィルタは、ポリフェーズフィルタと有限応答フィルタのうちの一つであることを特徴とするビデオ・プロセッサ。
【請求項６】  請求項１に記載のビデオ・プロセッサにおいて、前記サブサンプリング回路は、８：３のサブサンプリング比率を有することを特徴とするビデオ・プロセッサ。
【請求項７】  符号化された画像を表すデータのデータ・ストリームを処理する方法であって、
前記データ・ストリームを復号し、空間領域の複数のピクセル値を表す復号されたデータ・ストリームを生成するステップと、
前記空間領域の複数のピクセル値を表す前記データ・ストリームをサブサンプリングし、低減されたデータ・ストリームを生成するステップと
を備え、
前記復号されたデータ・ストリームは、ＮとＭが１７よりも少ない場合に、Ｎ×Ｍのピクセル値のピクセル・ブロックを備え、
前記サブサンプリングし、低減されたデータ・ストリームを生成するステップは、ブロックごとに少ない数のピクセル値を生成し、前記サブサンプリングされたピクセル値のそれぞれは、それぞれの関連する入力ピクセル・ブロックからのみ導き出される
ことを特徴とする方法。
【請求項８】  符号化された画像を表すデータのデータ・ストリームを処理する方法であって、
前記データ・ストリームを復号し、複数のピクセル値を表す復号されたデータ・ストリームを生成するステップと、
複数のピクセル・ブロックを備える前記復号されたデータ・ストリームをサブサンプリングして、ブロックごとにより少ない数の複数のピクセルを生成し、前記サブサンプリングされたピクセル値の各々が、それぞれの関連する入力ピクセル・ブロックからのみ導き出されるように、低減されたデータ・ストリームを生成するステップと
前記低減されたデータ・ストリームをフォーマッティングして、ディスプレイ用に適した低減された解像度の画像データを生成し、前記低減された解像度の画像データをディスプレイ用に適した背景画像を表す画像フレーム・データと結合するステップと
を備えることを特徴とする方法。
【請求項９】  請求項８に記載の方法において、前記データ・ストリームはＭＰＥＧに準拠し、前記ピクセル・データのブロックはマクロブロックであることを特徴とする方法。
【請求項１０】  請求項８に記載の方法において、サブサンプリングして、低減されたデータ・ストリームを生成する前記ステップは、エイリアス低減フィルタリングとピクセル・サブサンプリングのステップとを含むことを特徴とする方法。
【請求項１１】  請求項８に記載の方法において、サブサンプリングして、低減されたデータ・ストリームを生成する前記ステップは、８：３のサブサンプリング比率を有することを特徴とするプロセッサまたは方法。
【請求項１２】  デジタル・ビデオ信号処理システムであって、
符号化画像を表す情報を収めているデジタル・データ・ストリームを受信する入力ネットワークと、
前記デジタル・データ・ストリームを復号し、ピクセル・データのブロックを出力する復号器（デコーダ）と、
前記ピクセル・データのブロックを受け入れるバッファと、
前記バッファされたピクセル・データのブロックをサブサンプリング、低減された解像度画像データを出力するサブサンプリング回路と、
前記低減された解像度画像データを、バックグラウンド画像を表す画像フレーム・データと結合するディスプレイ・プロセッサと
を備え、
前記サブサンプリング回路からの各サブサンプリングされたピクセル値は、それぞれに関連する入力ピクセル・ブロックからのみ導き出されることを特徴とするシステム。
【請求項１３】  請求項１２に記載のシステムにおいて、さらに、前記ピクセル・データのブロックと前記低減解像度画像データをストアしておくためのメモリを備えることを特徴とするシステム。
【請求項１４】  請求項１２に記載のシステムにおいて、前記サブサンプリング回路は、前記データ・ストリームを垂直方向にサブサンプルすることを特徴とするシステム。
【請求項１５】  請求項１２に記載のシステムにおいて、前記サブサンプリング回路は、前記データ・ストリームを水平方向にサブサンプルすることを特徴とするシステム。
【請求項１６】  請求項１２に記載のビデオ・プロセッサにおいて、前記サブサンプリング回路は、エイリアス低減フィルタとデシメーション・ネットワークを備えることを特徴とするシステム。
【請求項１７】  請求項１３に記載のシステムにおいて、前記デコーダはＭＰＥＧに準拠し、高精細ビデオ信号を復号する能力を備えると共に、動き補償ネットワークを含み、前記メモリはフレーム・メモリであり、前記ピクセル・データのブロックはマクロブロックであることを特徴とするシステム。
【請求項１８】  請求項１２に記載のシステムにおいて、前記低減された解像度画像データは、前記バックグラウンド画像と共に使用され、ピクチャ・イン・ピクチャ・ディスプレイ、ピクチャ・オン・ピクチャ・ディスプレイ、およびピクチャ・イン・グラフィック・ディスプレイのうちの１つを出力するのに適したフレームを備えることを特徴とするシステム。
【手続補正書】
【提出日】平成18年7月12日(2006.7.12)
【手続補正１】
【補正対象書類名】明細書
【補正対象項目名】発明の名称
【補正方法】変更
【補正の内容】
【発明の名称】アナログ・ビデオ信号のブランキング期間中に含まれる情報の受信方法
【手続補正２】
【補正対象書類名】明細書
【補正対象項目名】特許請求の範囲
【補正方法】変更
【補正の内容】
【特許請求の範囲】
【請求項１】  アナログ・ビデオ信号のブランキング期間中に通常含まれる情報を受信する方法であって、
ＯＳＤデータとしてフォーマット化されたブランキング期間中に通常含まれる情報を含んだ、アナログ・ビデオ信号を受信するステップと、
ＯＳＤデータとしてフォーマット化された情報を検出するステップと、
前記アナログ・ビデオ信号から、検知された情報を抽出するステップと、
制御信号を生成するための情報を処理するステップとからなる、前記方法。
【請求項２】  前記フォーマット化された情報は、非ブランキング部分の期間中に、前記アナログ・ビデオ信号に挿入される、請求項１記載の方法。
【請求項３】  非ＯＳＤ制御情報は、制御データである、請求項１記載の方法。
【請求項４】  前記情報は、ディジタル・ビデオ信号に含まれる、請求項１記載の方法。
【請求項５】  アナログ・ビデオ信号のブランキング期間中に通常含まれる情報をフォーマット化する方法であって、
ディジタル・ビデオ信号を受信するステップと、
アナログ・ビデオ信号のブランキング期間中に通常含まれる情報をＯＳＤ生成器に供給するステップと、
前記情報信号をＯＳＤデータとしてフォーマット化するステップと、
ＯＳＤデータをビデオ信号に挿入するステップと、
前記ディジタル・ビデオ信号をアナログ・ビデオ信号に変換するステップと、
ＯＳＤデータとしてフォーマット化された情報信号を含むアナログ信号を、外部デバイスに供給するステップからなる、前記方法。
【手続補正書】
【提出日】平成18年6月2日(2006.6.2)
【手続補正１】
【補正対象書類名】明細書
【補正対象項目名】発明の名称
【補正方法】変更
【補正の内容】
【発明の名称】蓄積メディアに蓄積された情報を処理するシステムを制御する方法並びに蓄積メディアに蓄積された情報を処理するための装置
【手続補正２】
【補正対象書類名】明細書
【補正対象項目名】特許請求の範囲
【補正方法】変更
【補正の内容】
【特許請求の範囲】
【請求項１】  蓄積メディアに蓄積された情報を処理するシステムを制御する方法であって、
（Ａ）格付け情報を含んでいないプログラム情報の再生をディスエーブルするシステム・ロックをユーザがプログラム情報の再生中に動的にオーバーライドすることを可能にする動作モードをイネーブルまたはディスエーブルする機会を、セットアップ動作モードの間に、ユーザに与えるステップと、
（Ｂ）上記蓄積メディアに蓄積された情報が上記蓄積メディアに蓄積されたプログラムの格付けを識別する格付け情報を含んでいるかどうかを判定するステップと、
（Ｃ）上記蓄積された情報が格付け情報を含んでおらず、動的なオーバーライド動作モードがイネーブルされたと判定された場合に、上記蓄積メディアに蓄積された非格付け情報の再生をディスエーブルするシステム・ロックをオーバーライドするかどうかを選択する機会をユーザに与えるか、または、動的なオーバーライド動作モードがディスエーブルされたと判定された場合に、上記システム・ロックをオーバーライドする機会を与えることなく上記プログラムの再生を自動的に防止するステップと、
（Ｄ）ユーザが上記システム・ロックをオーバーライドした場合に上記プログラムの再生をイネーブルするステップと、
を含む、前記方法。
【請求項２】  上記ステップ（Ｄ）の後に、上記プログラムの再生が完了した際に上記蓄積メディアに蓄積された非格付け情報の再生をディスエーブルするステップを含む、請求項１に記載の方法。
【請求項３】  蓄積メディアに蓄積された情報を処理するための装置であって、
上記蓄積メディアに蓄積された情報にアクセスする手段と、
上記蓄積メディアからアクセスされた情報を処理して再生中のプログラムの一部に非格付けのプログラム情報が含まれるかどうかを判定し、非格付けのプログラム情報の再生をディスエーブルするシステム・ロックをユーザが動的にオーバーライドすることを可能にする動作モードをイネーブルするかディスエーブルするかを選択する機会を、セットアップ動作モードの間に、ユーザに与え、動的にオーバーライドする動作モードがイネーブルされたこと、および非格付けのプログラム情報を検出した場合に、上記非格付けのプログラム情報の再生を防止する当該装置の制御状態をオーバーライドする機会をユーザに与えるか、または、上記動的なオーバーライド動作モードがディスエーブルされたと判定された場合に非格付けのプログラム情報の再生を自動的に防止する制御手段を含む、前記装置。
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
モザイク形式のそれぞれの窓において複数のディジタルテレビジョンチャンネルの表示を制御するためのデコーダであって、番組およびチャンネルの１つへのアクセス権を受信するための手段と、受信したアクセス権に従って前記窓に表示されるとき、番組およびチャンネルの前記１つへのユーザーによる音声および映像のフルアクセスを禁止するための手段とを備えることを特徴とするデコーダ。
【請求項２】
モザイク形式のそれぞれの窓において複数のディジタルテレビジョンチャンネルの表示を制御する方法であって、番組およびチャンネルの１つへのアクセス権を受信するステップと、受信したアクセス権に従って窓に表示されるときに番組およびチャンネルの前記１つへのユーザーによる音声および映像のフルアクセスを禁止するステップとを備えることを特徴とする方法。
【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】  励振されると音響出力を与えるようになっている振動板を有するラウドスピーカドライブユニットの形態の音響装置を製造する方法であって、
前記振動板の弾性サスペンションを成形すると同時に、これを前記振動板に固定することによって前記振動板のための前記弾性サスペンションを形成するようになっており、
前記振動板が撓み波エネルギーで励振されるようになっている共振パネル状部材であり、全周縁にわたり前記パネル状部材に重なり合うのに十分な大きさの柔軟または弾性のある発泡プラスチックのブロックを形成し、前記サスペンションを形成するように前記マージン部分にのみ引加される熱または熱と圧力によって前記ブロックの前記マージン部分を成形する段階からなり、前記サスペンションが前記パネル状部材に固定されて、発泡プラスチック又はゴムの前記ブロックの残りの部分が、前記パネル部材の１側部からの前記音響出力を減衰したり、吸収するための音響吸収体を形成するようになっていることを特徴とする方法。
【請求項２】  剛性支持部材が前記パネル状部材の縁から離間した位置において、前記弾性サスペンションと共に成形されるか、一体的に成形されるか、もしくは取付けられており、前記サスペンションを所定の位置に固定するように支持体を形成するようになっていることを特徴とする請求項１に記載の方法。
【請求項３】  前記剛性支持部材は実質的に連続した部材として前記パネル状部材の前記周縁まわりを延びる部材の形態であることを特徴とする請求項２に記載の方法。
【請求項４】  前記サスペンションを所定の位置に配置するように、突出部、凹部または孔が前記剛性支持体に成形されることを特徴とする請求項２か、３のいずれかに記載の方法。
【請求項５】  前記サスペンションは、該サスペンションが音響装置のフレームまたは囲い内にしまりばめされるように形成されていることを特徴とする請求項１から４のいずれか１つに記載の方法。
【請求項６】  請求項１から５のいずれかの方法により形成されたラウドスピーカドライブユニット。
【請求項７】  請求項６に関連するドライブユニットを備えたラウドスピーカ。
【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】
遠隔キーレス・エントリ・システム用のユーザ非依存型自動再同期の方法であって： ディフォルト・チャレンジ・カウント窓を割り当てる段階；
第１送信機側記号カウントと第１コマンドとを含む第１データ・パケットを受信する段階；
前記第１受信データ・パケットを認証する段階；
前記第１送信機側記号カウントが前記ディフォルト・チャレンジ・カウント窓内にない場合、前記第１送信機側記号カウントに応じてオフセットされた自動同期チャレンジ・カウント窓を割り当てる段階；
第２送信機側記号カウントと第２コマンド・コードとを含む第２データ・パケットを受信する段階；
前記第２受信データ・パケットを認証する段階；
前記第２送信機側記号カウントが前記自動同期チャレンジ・カウント窓内にある場合、前記チャレンジ・カウント窓を前記ディフォルト・チャレンジ・カウント窓に戻す段階；および 前記第２コマンド・コードを実行する段階；
によって構成されることを特徴とする方法。
【請求項２】
前記自動同期チャレンジ・カウント窓は、前記ディフォルト・チャレンジ・カウント窓の範囲よりも小さい範囲を有することを特徴とする請求項１記載の方法。
【請求項３】
第３送信機側記号カウントと第３コマンド・コードとを含む第３データ・パケットを受信する段階；
前記第３受信データ・パケットを認証する段階；
前記第３送信機側記号カウントが前記自動同期チャレンジ・カウント窓内にある場合、前記チャレンジ・カウント窓を前記ディフォルト・チャレンジ・カウント窓に戻す段階；および 前記第３コマンド・コードを実行する段階；
をさらに含んで構成されることを特徴とする請求項１記載の方法。
【請求項４】
前記自動同期チャレンジ・カウント窓を割り当てる前記段階に応答して： 前記チャレンジ・カウント窓を前記ディフォルト・チャレンジ・カウント窓に戻す段階；
によって構成されることを特徴とする請求項１記載の方法。
【請求項５】
前記自動同期チャレンジ・カウント窓を割り当てる前記段階に応答して： 所定の回数のデータ・パケットを受信・認証する段階を待ってから、前記チャレンジ・カウント窓を前記ディフォルト・チャレンジ・カウント窓に戻す段階；
によって構成されることを特徴とする請求項１記載の方法。
【請求項６】
前記チャレンジ・カウント窓を前記ディフォルト・チャレンジ・カウント窓に戻す前記段階を実行した後に、自動同期成功メッセージを発行する段階；
をさらに含んで構成されることを特徴とする請求項１記載の方法。
【請求項７】
前記第２コマンド・コードを実行する前記段階の後、前記送信機側カウントに応じて前記受信機側カウントを合致させる段階；
をさらに含んで構成されることを特徴とする請求項１記載の方法。
【請求項８】
遠隔キーレス・エントリ・システム用のユーザ非依存型自動再同期の方法であって： ディフォルト・チャレンジ・カウント窓を割り当てる段階；
第１送信機側記号カウントと第１コマンドとを含む第１データ・パケットを受信する段階；
前記第１受信データ・パケットを認証する段階；
前記第１送信機側記号カウントが前記ディフォルト・チャレンジ・カウント窓内にない場合、自動同期チャレンジ・カウント窓を割り当てる段階；
第２送信機側記号カウントと第２コマンド・コードとを含む第２データ・パケットを受信する段階；
前記第２受信データ・パケットを認証する段階；
前記第２送信機側記号カウントが前記自動同期チャレンジ・カウント窓内にある場合、前記チャレンジ・カウント窓を前記ディフォルト・チャレンジ・カウント窓に戻す段階；
前記チャレンジ・カウント窓を前記ディフォルト・チャレンジ・カウント窓に戻す前記段階を実行した後、自動同期成功メッセージを発行する段階；
前記第２コマンド・コードを実行する段階；および 前記第２コマンド・コードを実行する段階の後、前記送信機側カウントに応じて前記受信機側カウントを更新する段階；
によって構成されることを特徴とする方法。
【請求項９】
自動同期チャレンジ・カウント窓を割り当てる前記段階は、前記第１送信機側記号カウントが前記ディフォルト・チャレンジ・カウント窓内にない場合、前記第１送信機側記号カウントに応じてオフセットされた自動同期チャレンジ・カウント窓を割り当てる段階によって構成されることを特徴とする請求項８記載の方法。
【請求項１０】
前記自動同期チャレンジ・カウント窓は、前記ディフォルト・チャレンジ・カウント窓の範囲よりも小さい範囲を有することを特徴とする請求項８又は９に記載の方法。
【請求項１１】
遠隔キーレス・エントリ・システム用のユーザ非依存型自動再同期の装置であって：
第１送信機側記号カウントと第１コマンドとを含む第１データ・パケットを送信する送信機と、
ディフォルト・チャレンジ・カウント窓を割り当て；
前記送信機によって送信された前記第１データ・パケットを受信・認証し；
前記第１送信機側記号カウントが前記ディフォルト・チャレンジ・カウント窓内にない場合、前記第１送信機側記号カウントに応じてオフセットされた自動同期チャレンジ・カウント窓を割り当て；
第２送信機側記号カウントと第２コマンド・コードとを含む第２データ・パケットを受信し；
第２受信データ・パケットを認証し；
前記第２送信機側記号カウントが前記自動同期チャレンジ・カウント窓内にある場合、前記チャレンジ・カウント窓を前記ディフォルト・チャレンジ・カウント窓に戻し；
前記チャレンジ・カウント窓を前記ディフォルト・チャレンジ・カウント窓に戻す上記ステップを実行した後、自動同期成功メッセージを発行し；
前記第２コマンド・コードを実行し；
前記第２コマンド・コードを実行する上記ステップの後、前記送信機側カウントに応じて前記受信機側カウントを更新する；
受信機と、
を有することを特徴とする装置。
【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】 
ヘッドエンドにおいて生成されたユーザインターフェイスであって、
選択グラフィカルオブジェクトが、マスク／表示層によってマスクされるかまたは表示される、グラフィクス領域、を含み、
前記グラフィクス領域は、ヘッドエンドにて生成され、且つ圧縮映像情報ストリームとして配信される映像レイヤイメージを含み、
前記マスク／表示層は、前記選択グラフィカルオブジェクトと視覚的に協働するグラフィクスレイヤイメージを含むとともに、前記ユーザインターフェイスの前記グラフィクス領域と共にユーザ端子に送信されるユーザインターフェイス。
【請求項２】 
前記マスク／表示層が制御された不透明度を有する、請求項１に記載のユーザインターフェイス。
【請求項３】 
前記マスクされたオブジェクトが、前記表示されたオブジェクトに対して弱められる、請求項１に記載のユーザインターフェイス。
【請求項４】 
前記マスクされたオブジェクトが、前記マスクされたオブジェクト上に増加した不透明度を有するマスク／表示層によって弱められる、請求項３に記載のユーザインターフェイス。
【請求項５】 
前記グラフィクス領域が複数のオブジェクトを含み、前記マスク／表示層が、選ばれた数の該オブジェクトを表示し、残りのオブジェクトをマスクする、請求項１に記載のユーザインターフェイス。
【請求項６】 
前記オブジェクトが番組タイトルのリストである、請求項５に記載のユーザインターフェイス。
【請求項７】 
グラフィクス領域と、ビデオ領域と、マスク／表示層と、を含み、
前記グラフィクス領域及び前記ビデオ領域は、ヘッドエンドにて生成され、且つ圧縮映像情報ストリームとして配信される映像レイヤイメージを含み、
前記マスク／表示層は、前記ビデオ領域及びグラフィクス領域において選択オブジェクトをマスクする又は表示するために前記選択オブジェクトと視覚的に協働するグラフィクスレイヤイメージを含むとともに、前記ユーザインターフェイスの前記グラフィクス領域と共にユーザ端子に送信されるユーザインターフェイス。
【請求項８】 
前記マスク／表示層が制御された不透明度を有する、請求項７に記載のユーザインターフェイス。
【請求項９】 
前記マスクされたオブジェクトが、前記表示されたオブジェクトに対して弱められる、請求項７に記載のユーザインターフェイス。
【請求項１０】 
前記マスクされたオブジェクトが、前記マスクされたオブジェクト上に増加した不透明度を有するマスク／表示層によって弱められる、請求項９に記載のユーザインターフェイス。
【請求項１１】 
前記グラフィクス領域が複数のオブジェクトを含み、前記マスク／表示層が、選ばれた数の該オブジェクトを表示して、残りのオブジェクトをマスクする、請求項７に記載のユーザインターフェイス。
【請求項１２】 
前記オブジェクトが番組タイトルのリストである、請求項１１に記載のユーザインターフェイス。
【請求項１３】 
双方向番組ガイドとインタラクションする方法であって、
ビデオ領域およびグラフィクス領域を有する双方向番組ガイドを示す圧縮映像イメージを含むビットストリームを、前記グラフィクス領域の部分が前記ビデオ領域の対応する部分と視覚的に協働するように、情報配信システムのヘッドエンド内で生成するステップと、
加入者機器に前記ビットストリームを通信するステップと、
該加入者機器内において、該ビットストリームを、該双方向番組ガイドのディスプレイに変換するステップと、
前記加入者機器内にマスク／表示オーバレイを、選択的にマスクする又は表示する双方向番組ガイドイメージに該オーバレイが適合するように、生成するステップと、を含む方法。
【請求項１４】 
前記グラフィクス領域は、チャンネルの第１の軸および時間の第２の軸、ならびに、該軸と整列されたプログラミングタイトルのグリッドを含む、請求項１３に記載の方法。
【請求項１５】 
前記時間軸が、時間アイコンによって識別される複数のインクリメントを含み、該方法は、時間アイコンを識別するステップと、該識別に応答して、該識別された時間アイコンに対応する前記グリッド内の所与の番組タイトルを強調するステップとを含む、請求項１３に記載の方法。
【請求項１６】 
チャンネルアイコンを用いて、チャンネルを識別するステップをさらに含む、請求項１３に記載の方法。
【請求項１７】 
識別されたチャンネルおよび時間アイコンを選択して、前記ヘッドエンドに、適切な番組を前記加入者機器へ伝送させる、請求項１３に記載の方法。
【請求項１８】 
前記適切な番組は、前記識別された時間アイコンが現在時刻を示す場合、番組タイトルの前記グリッド内で識別された番組であり、該時間アイコンが該現在時刻よりも後の時間を示す場合、該適切な番組は、該識別された番組のプレビューである、請求項１３に記載の方法。
【請求項１９】 
識別された番組に対応するテキストグラフィックスを表示するステップをさらに含む、請求項１３に記載の方法。
【請求項２０】 
ビデオ・オン・デマンドコンテクストを開始するビデオ・オン・デマンドアイコンを識別および選択するステップをさらに含む、請求項１３に記載の方法。
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  熱転写素子であって、
基板と、
受容体に転写される場合に、多層デバイスの第１動作層と第２動作層とを形成するように構成され配置されており、該第１動作層が荷電担体を伝導するかまたは生成するように構成され配置される多成分転写ユニットと、
を具備する熱転写素子。
【請求項２】  前記基板と前記多成分転写ユニットとの間に配置された光−熱変換層を更に具備する請求項１記載の熱転写素子。
【請求項３】  前記光−熱変換層と前記多成分転写ユニットとの間に配置された中間層を更に具備する請求項２記載の熱転写素子。
【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】  サーボトラック書込み装置（ＳＴＷ）内にヘッドディスク組立体（ＨＤＡ）を拘束する方法であって、このＨＤＡが：ハウジング；このハウジングに結合され、且つ少なくとも一つの記憶ディスクを有するスピンドルを回転可能に支持するスピンドル軸；およびこのハウジングに結合され、変換器ヘッドをこの少なくとも一つのディスクに対して動かすためのアクチュエータ組立体を枢動するように支持するピボット軸を含み、この方法が：
（ａ）  このＨＤＡをこのＳＴＷ内に配置し、このＳＴＷが対向する接触点を備える対向するクランプ部材を有する工程；
（ｂ）  これらの対向するクランプ部材の少なくとも一つを、加圧空気源に流体的に結合した少なくとも一つの孔を有する空気軸受上で動かし、この空気軸受がこのベースに対するこの可動クランプ部材の比較的摩擦のない運動を可能にし、この可動クランプ部材が更に真空スチフナを含む工程；
（ｃ）  これらの接触点がこのピボット軸とスピンドル軸の両方の各端と作動的に係合するように、このＨＤＡをこれらのクランプ部材の間にクランプする工程；および
（ｄ）  圧縮性負荷をこのＨＤＡに掛け、そこでこれらの対向する接触点がこのピボット軸とスピンドル軸の端に線形負荷を掛けてこのアクチュエータ組立体とスピンドルの非回転運動を拘束する工程を含む方法。
【請求項２】  請求項１の方法に於いて、これらの対向するクランプ部材が固定クランプ部材と可動クランプ部材を含む方法。
【請求項３】  請求項２の方法に於いて、クランプ工程（ｃ）がこの可動クランプ部材をこの固定クランプ部材の方へ動かすためにリニアアクチュエータを作動させる工程を含む方法。
【請求項４】  請求項２の方法に於いて、負荷掛け工程（ｄ）がこの可動クランプ部材をこの固定クランプ部材に、このＨＤＡをそれらの間にして、押付けるためにリニアアクチュエータを作動させる工程を含む方法。
【請求項５】  サーボトラック書込みプロセス中、ヘッドディスク組立体（ＨＤＡ）を固定するためのサーボトラック書込み装置であって：
ベース；
このベースに取付けた固定ブロック組立体；および
この固定ブロック組立体に対向するバスケット組立体を含み、このバスケット組立体が：
このＨＤＡを受けるようにされたバスケットを有する可動キャリッジ；
このキャリッジをこの固定ブロック組立体の方へ動かすようにされた変位装置；および
このキャリッジをこの固定ブロック組立体に押付けるようにされた負荷装置を含み；そこでこのキャリッジが、更に、加圧空気源に流体的に結合した少なくとも一つの孔を有する空気軸受を含み、この空気軸受がこのベースに対するこのキャリッジの比較的摩擦のない運動を可能にし、このキャリッジが更に真空スチフナを含む書込み装置。
【請求項６】  サーボトラック書込みプロセス中、ヘッドディスク組立体（ＨＤＡ）を固定するためのサーボトラック書込み装置であって：
ベース；
このベースに取付けた固定ブロック組立体；および
この固定ブロック組立体に対向するバスケット組立体を含み、このバスケット組立体が：
このＨＤＡを受けるようにされたバスケットを有する可動キャリッジ；
このキャリッジをこの固定ブロック組立体の方へ動かすようにされた変位装置；および
このキャリッジをこの固定ブロック組立体に押付けるようにされた負荷装置を含み；そこでこのキャリッジが、更に、加圧空気源に流体的に結合した少なくとも一つの孔を有する空気軸受を含み、この空気軸受がこのベースに対するこのキャリッジの比較的摩擦のない運動を可能にし、このキャリッジが、更に、このベースに隣接するくぼんだ部分を有する真空スチフナを含み、このくぼんだ部分が真空源に流体的に結合してあり、この真空源が第１真空圧と第２真空圧の間で調節可能である書込み装置。
【請求項７】  請求項６の装置であって、更に、このキャリッジの水平運動を選択的に制約するために格納式案内装置を含む装置。
【請求項８】  請求項６の装置に於いて、この固定ブロック組立体およびこのバスケット組立体の一つ以上が減衰部材を含む装置。
【請求項９】  サーボトラック書込みプロセス中、ヘッドディスク組立体（ＨＤＡ）を固定するためのサーボトラック書込み装置であって：
ベース；
このベースに取付けた固定ブロック組立体；および
この固定ブロック組立体に対向するバスケット組立体を含み、このバスケット組立体が：
このＨＤＡを受けるようにされたバスケットを有する可動キャリッジ；
このキャリッジをこの固定ブロック組立体の方へ動かすようにされた変位装置；および
このキャリッジをこの固定ブロック組立体に押付けるようにされた負荷装置を含み；そこでこのキャリッジが、更に、加圧空気源に流体的に結合した少なくとも一つの孔を有する空気軸受を含み、この空気軸受がこのベースに対するこのキャリッジの比較的摩擦のない運動を可能にし、このキャリッジが、更に、このベースに隣接するくぼんだ部分を有する真空スチフナを含み、このくぼんだ部分が真空源に流体的に結合してあり、この真空スチフナが、この空気軸受に予圧を掛けるためにこの空気軸受と同時に使用できる書込み装置。
【請求項１０】  請求項９の装置であって、更に、このキャリッジの水平運動を選択的に制約するために格納式案内装置を含む装置。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】  機械式マイクロスイッチにおいて、前記機械式マイクロスイッチは、
ベース層（２０３）であって、前記ベース層（２０３）は、互いに平行で反対側に位置する第１及び第２の大きな表面（２０５、２１１）を有し、かつ、前記第１の大きな表面からエッチングされたカンチレバー（６５）を有し、前記カンチレバーは一つのアームと一つのヘッド（６０）とを有する、前記ベース層と、
対をなした第１及び第２の電気リード（２１１、２２３）であって、前記第１及び第２の電気リードは、電気的に絶縁されているが、前記カンチレバーヘッドに接触すると電気的にブリッジされるように配置された、前記第１及び第２の電気リードと、
磁気的に且つ電気的に導体である表面を有する前記ヘッドと、
前記ベース層の前記第１及び第２の大きな表面の間に延在する磁気シャント（２０７、２０９）を有し、磁気フラックスを担持するときに前記ヘッド上に吸引力を働かせるように、前記カンチレバーの下方に位置する、前記ベース層と、
永久磁石（５０）であって、前記永久磁石は、前記カンチレバーヘッドを前記電気リードに引寄せるために前記永久磁石から十分なフラックスを伝達するように、前記第２の大きな表面（２１１）と前記磁気シャントに十分に近い第１の位置において変位可能であり、且つ、前記カンチレバーヘッドを前記電気リードに引寄せるために十分なフラックスを伝達しないように、前記第２の大きな表面から十分に離れた間隔を置いた第２の位置で変位可能な、前記永久磁石と、
を有する、機械式マイクロスイッチ。
【請求項２】  機械式マイクロスイッチ（２０１）であって、前記機械式マイクロスイッチは、
ベース層（２０３）であって、前記ベース層は、ｘ-ｚ平面に平行で、かつ、互いに平行に反対側に位置する、第１及び第２の表面（２０５、２１１）と、前記ｘ軸に沿って延在し、前記ｘ軸に取りつけられた、カンチレバーを有し、前記カンチレバーは一つのアーム（６５）と一つのヘッド（６０）を有し、前記第１の大きな表面（２０５）の近傍に配置された、前記ベース層と、
電気的に絶縁されているが、前記カンチレバーヘッドに接触すると電気的にブリッジを形成するように配置された、第１及び第２の電気リード（２２１、２２３）と、
磁気的に及び電気的に導体である表面を有する前記ヘッドと、
ｚ軸に沿って間隔を置いて配置され、且つ、実質的に前記カンチレバーヘッドの下方で前記ｙ軸に沿って前記ベース層を貫通する、第１及び第２のソフト磁気シャント（２０７、２０９）を有する、前記ベース層と、
永久磁石（５０）であって、前記永久磁石は、前記カンチレバーヘッドを前記電気リードに引寄せるために十分な磁気フラックスが前記永久磁石から伝達されるように、前記第２の大きな表面（２１１）と前記第１及び第２の磁気シャントに十分に近い第１の位置において、前記ｙ軸に沿って移動自在に配置され、且つ、前記カンチレバーヘッドを前記電気リードに引寄せるために十分な磁気フラックスを伝達しないように、前記第２の大きな表面から十分に距離を置いた第２の位置に配置可能である、前記永久磁石と、
前記第１及び第２の位置の間で前記磁石を移動させるためのアクチュエーター機構（５５）と、
前記第１の大きな表面を密封し、かつ、前記カンチレバーの上方に延在する、頂部キャップ（２２５）と、
を有する、機械式マイクロスイッチ。
【請求項３】  閉鎖位置と開放位置の間で作動するマイクロスイッチであって、前記マイクロスイッチは、
第１の導電性層（３０）であって、前記第１の導電性層は、第１の一次開口（３５）と第１の二次開口（３７）を有する第１の閉鎖通路（３１）を形成する、前記第１の導電性層と、第２の導電性層（４０）であって、前記第２の導電性層は、第２の一次開口（４５）と第２の二次開口（４７）を有する第２の閉鎖通路（４１）を形成する、前記第２の導電性層を有し、前記第１の閉鎖通路は前記第２の閉鎖通路から導電的に絶縁されている、前記第１及び第２の導電性層と、
前記第１の閉鎖通路と前記第２の閉鎖通路に関して移動可能に搭載された磁石（５０）であって、前記磁石は、前記第１の一次開口の内部の磁石第１位置と、前記第２の一次開口の内部の磁石第２位置の間で移動可能である、前記磁石と、
前記磁石第１位置と前記磁石第２位置の間で前記磁石を選択的に移動させるアクチュエーター（５５）と、
前記第１の閉鎖通路と前記第２の閉鎖通路に関して移動可能に搭載されたコンタクト要素（６０）であって、前記コンタクト要素は、前記コンタクト要素が前記第１の二次開口を通って前記第１の導電性層を電気的に短絡させる、要素第１位置と、前記コンタクト要素が前記第２の二次開口を通って前記第２の導電性層を電気的に短絡させる、要素第２位置の間で、移動自在である、前記コンタクト要素と、
を有する、マイクロスイッチ。
【請求項４】  マイクロスイッチを動作させる方法において、前記方法は、
（ａ）  磁石第１位置と磁石第２位置の間で磁石（５０）を選択的に移動させる工程と、
（ｂ）前記磁石が前記磁石第１位置に位置するとき、第１の導電性層（３０）を電磁気的に短絡させる第１の磁気フラックスを生成し、前記第１の導電性層を電磁気的に短絡させる要素第１位置に可動コンタクト要素（６０）を配置し、第１の共通コンタクト（２７）と常閉コンタクト（２９）に関して第１の導電性層を電気的に短絡させる工程と、
（ｃ）前記磁石が前記磁石第２位置にあるとき、第２の導電性層（４０）を電磁気的に短絡させる第２の磁気フラックスを生成し、前記第２の導電性層を電磁気的に短絡させる要素第２位置に前記可動コンタクト要素を配置し、第２共通コンタクトと常開コンタクト（２８）に関して第２の導電性層を電気的に短絡させる工程と、
を有する、マイクロスイッチを動作させる方法。